(57)【要約】      （修正有）【課題】ヘアーカットを美容師（初心者）・素人でも簡単に正確に切る事の出来るヘアーカット補助具を提供する。【解決手段】約長方形の左土台部３に対し、左土台部よりも縦幅の短い左パネル１が左土台部の右辺を境に折り曲られて続く左側部材と、各々が約長方形の正面土台部と右土台部４とが逆Ｌ字型をなすようにつらなり、右土台部に対し左パネルと縦幅がひとしい右パネルが右土台部の左辺を境に折り曲られて続き、正面土台部上辺とは切り離された右側部材からなる。また、左土台部の下端と正面土台部の左端がネジ止め固定されるとともに、それぞれが立ち上げられた左パネルがと右パネルがとが開閉出来るように突き合わされることで合わせた状態は正面から見ると両パネルの形状は両土台の上に立つ三角型になるように形成する。【選択図】図７
0003173432.tif 000002
【実用新案登録請求の範囲】
【請求項１】
本考案  ヘアーカッティングガイドは  ヘアーカット補助用具
アングルガイド（角度のガイド）
オンベース（同じ長さに切る）左右の角度を同じとする。
サイドベース（少しずつ長く切る）左右の角度が異なる。
オフベース（サイドベースより長く切る）左右の角度が異なる。
アングルガイドは上の角度の形を形成している事を特徴とします。
【請求項２】
デザインラインガイド
デザインライン（カッティングライン）の形状
直線ライン
ラウンドライン
スクイーズライン
ワンレングスライン５０°ライン
デザインラインガイドは上のラインの形を形成している事を特徴とします。
【請求項３】
長さガイド
長さを変えて創ります。アングルガイド・デザインラインガイドの長さを変えます。各種創っています。
長さガイドは上の  角度・ラインと合わせた形を形成している事を特徴とします。
【考案の詳細な説明】
【技術分野】  ヘアーカット補助具【０００１】  本考案は、  ヘアーカットを美容師（初心者）・素人でも簡単に正確に切る事の出来るヘアーカット補助具です。
【背景技術】
【０００２】（公序良俗違反につき、不掲載）
【考案の概要】
【考案が解決しょうとする課題】
【０００５】カット技術は数多くの基礎技術を的確に出来なければいけないのですが、角度で考えると、パネルを持つ手の角度を視覚を変えて視てみると、正確な角度に持っていない事が分ります。熟練が必要なのです。
又正確な基礎勉強が必要です。
カットラインで考えますと、  美しいラインを描ける人でないと鋏をもってデザインラインを切る事は出来ないのです。デザインラインを描く訓練をしていないと、デザインラインの想定はむつかしいのです。
セクションの分け方・コームの入れ方、シエープ等で長さ・ろデザインラインが変化する  基礎技術は数ありますが、ヘアーカッティングガイトは、角度もデザインラインも形として出来ているのが特徴です。
初心者の美容師さん・素人さんでも簡単にカットが出来ます。
【課題を解決するための手段】
【０００６】本考案  ヘアーカッティングガイトは、正確な  アングルガイドデザインラインガイトが  正確に創ってあるので誰でも簡単にカットが出来る。
【考案の効果】
【０００７】ヘアーカッティングガイトは  正確な角度でカットが出来ます。
美容師の現代のプロの正確な基礎技術は（スライスライン・角度・シェープ・カットライン）を正確に切るには  熟練するか正確な基礎勉強必要です。
ヘアーカッティングガイトはその総べての技術を引き受けて簡単にカットが出来るように出来ています。
正確に基礎を学べば自分の発想で素敵なカットが出来る事に気がつきます。仕事が楽しくなります。
又素人の方でもヘアーカッティングガイトがあれば簡単に正確にカットが出来ます。
【図面の簡単な説明】
【０００８】
【図１】  本考案のヘアーカッティングガイドのオンベース（同じ長さに切る）の角度の表現で左右の角度が同じ角度の全体図です。
【図２】  本考案のヘアーカッティングガイドのパネル（角度の表現）を支える土台です。
【図３】  本考案のヘアーカッティングガイドの角度を表現する左パネルです。
【図４】  本考案のヘアーカッティングガイドの角度を表現する右パネルです。
【図５】  本考案のヘアーカッティングガイドの角度の表現です。サイドベース（左右の長さに長短があることを表現していすます）最初の長さより  だんだん長くしたい時に使います。
【図６】  本考案のヘアーカッティングガイドの角度の表現です。オフベース（サイド  ベースより  左右の長さに長短がの差が大きいことを表現していすます。）最初の長さより  だんだん長くしたい時に使います。
【図７】  本考案のヘアーカッティングガイドのデザインライン（直線カットライン）と角度の表現をしています。
【図８】  本考案のヘアーカッティングガイドのデザインライン（ラウンドカットライン）と角度の表現しています。
【図９】  本考案のヘアーカッティングガイドのデザインライン（スクイズカットライン）と角度の表現しています。
【図１０】  本考案のヘアーカッティングガイドのデザインライン（ワンレングス５０°ライン）と角度の表現しています。
【考案を実施するための形態】
【０００９】髪を分け取り  右手てシェープし、ヘアーカッティングガイドで髪を挟みパネルの下のラインをスライスラインに合わせて、  地肌につくように置き左右のパネルの上側の端を合わせてカットする。
【実施例】
【００１０】オンベースの場合
１，セクションを分け取る
横スライスの場合    横５ｃｍ縦２ｃｍを分け取る
■角度がオンベースは同じ長さに切る角度に出来ていますので分け方は縦・横・斜  どう分けても大丈夫です。
■下の順序で分け方・コームの歯先の入れ方・シェープ等守って下さい。正確にカット出来ます。。
２，右手にコームを持ち、スライスラインに平行にコームの歯先を当て垂直にアップシェープします。
３，左手（中指と人指し指でパネルを持つ）
４，次ぎに右手に髪を持ち替え
５，オンベースガイドの上側を左手で開きスライスラインに平行に入れて髪の毛を挟む、左手指でしっかりパネルを持つ。
※左右のパネルの切り口が水平に揃えば正確に角度が決まります。
６，次ぎに右手で鋏を持ちカットします。
※オンベース  の場合・横スライスでも縦スライスでも正確にカットが出来ます。下手な美容師よりも上手なカットが出来ます。
【実施例】
【００１１】スクイズカットの場合は  鋏・バリカンどちらでもカットが出来ます。
トップの部分はオンベースでカットしフェイスライン・ネープ等シャギーカットにしたい場合はスクイズラインで等で組み合わせてカットします。
【実施例】
【００１２】ネープ等重いラインにカットしたい時はワンレングス５０°ラインガイド  にカットし、  トップ・中間等軽い感じに仕上げたい時はオンベースガイド・サイドベースガイド・フリーベースガイド等を  組み合わせてカットしましょう。
【符号の説明】１  土台・押さえ板、  角度を表現している  パネルを支える土台
２  接点              角度の合うこところを表現しています。
３  カットライン      （切るところのライン）を表現しています。
４  左のパネル        （角度・デザインライン）を表現しています。
５  右のパネル        （角度・デザインライン）を表現しています。
６  角度              （左右の角度）を表現しています。
７  髪                を表現しています。
【図１】
0003173432.tif 000003
【図２】
0003173432.tif 000004
【図３】
0003173432.tif 000005
【図４】
0003173432.tif 000006
【図５】
0003173432.tif 000007
【図６】
0003173432.tif 000008
【図７】
0003173432.tif 000009
【図８】
0003173432.tif 000010
【図９】
0003173432.tif 000011
【図１０】
0003173432.tif 000012
【手続補正書】
【提出日】平成23年11月17日(2011.11.17)
【手続補正１】
【補正対象書類名】実用新案登録請求の範囲
【補正対象項目名】全文
【補正方法】変更
【補正の内容】
【実用新案登録請求の範囲】
【請求項１】
約長方形の  左土台部に対し  左土台部よりも  縦幅の短い  左パネルが  左土台部の  右辺を  境に折り曲られて  続く  左側部材と、各々が  約長方形の正面土台部と右土台部とが逆Ｌ字型をなすように  つらなり、右土台部に対し  左パネルと縦幅がひとしい  右パネルが右土台部の左辺を  境に折り曲られて  続き、正面土台部  上辺とは  切り離された  右側部材からなり、左土台部の下端と正面土台部の左端が  ネジ止め固定されるとともに、それぞれが立ち上げられた  左パネルがと右パネルがとが開閉出来るように  突き合わされることで  合わせた状態は正面から見ると両パネルの形状は両土台の上に立つ三角型になることを特徴とするヘアーカッテイングガイド。
【手続補正２】
【補正対象書類名】明細書
【補正対象項目名】０００２
【補正方法】変更
【補正の内容】
【０００２】ヘアーカットは  日本は  レザーカット  から    ブラントカット  シャギーカット  デザインカット  と変化してきました。
が基本的には  カットは  長さを短く切る事と考えていた時が長く続いていました。デザイン等  考えていません。基礎研究の必要がなかったのです。美容院の技術者の多くは  基礎技術に自信が無い方が多いのです
現在  髪は切ると下に落ちて来ます  髪が  正確な技術の上に出来ているのか  いないのか  美容師もお客様も分りません。
曖昧な技術がまかり通っています。現在はデザインカットの時代です。
カットの技術は洗練されたデザインカットが出来る  基礎理論実技を勉強する時が来ています。誰にも分り易く指導出来る  正確な設計図研究・基礎研究  が必要ですが  全般的に  カットの基礎研究している人が少ないのです。美容師技術者も同じ長さを正確に切ることは  むつかしいのです。ヘアーカッティングガイドで切る方が美容師さんに切ってもらうより安心出来ることから  プロも初心者・美容学校の生徒さんも正確な基礎技術を学ぶきっかけになって頂きたいと考えています。又不景気の世の中  お子様・ご主人・お婆さんのカット等  お家で出来ると  助かる方が多くいられると考えます。
【手続補正３】
【補正対象書類名】明細書
【補正対象項目名】００１２
【補正方法】変更
【補正の内容】
【００１２】
ネープ等重いラインにカットしたい時は
ワンレングス５０°ラインガイド  にカットし、トップ・中間等  軽い感じに仕上げたい時はオンベースガイド・サイドベースガイド・フリーベースガイド等を  組み合わせてカットしましょう。
【符号の説明】
１  左のパネル（長さ・角度・デザインライン）
２  右のパネル（長さ・角度・デザインライン）
３  左のパネルを支える土台
４  右のパネルを支える土台
５  正面の土台
６  パネルの上のライン
７  パネルの下のライン
８  右のパネルと正面の土台の間の切り込みライン
９  ネジ  土台３の丸い形のネジ
１０  カットライン  直線ライン
１１  カットライン  ラウンドライン
１２  カットライン  スクイズライン
１３  髪
１４  折り曲げるライン
１５  接点  左右のパネルの合うところ
１６  左のパネルの角度
１７  右のパネルの角度
１８  正面から視て９図・１０図パネルの右のライン
１９  正面から視て９図・１０図パネルの左のライン
２０  正面から視て５図・６図パネルの左側の
２１  正面から視て５図・６図パネルの右側の
【手続補正４】
【補正対象書類名】図面
【補正対象項目名】全図
【補正方法】変更
【補正の内容】
【図１】
0003173432.tif 000013
【図２】
0003173432.tif 000014
【図３】
0003173432.tif 000015
【図４】
0003173432.tif 000016
【図５】
0003173432.tif 000017
【図６】
0003173432.tif 000018
【図７】
0003173432.tif 000019
【図８】
0003173432.tif 000020
【図９】
0003173432.tif 000021
【図１０】
0003173432.tif 000022